(57)【要約】  本発明は、複合ローラ（２８）として構成された、燃料高圧ポンプ（１４）のローラタペット（２０）用のローラ（２６）であって、第１の複合ローラ領域（３８）を形成する第１の材料（４０）と、第２の複合ローラ領域（４２）を形成する第２の材料（４４）と、を備える、ローラに関する。第１の材料（４０）と第２の材料（４４）とは、１つの複合ローラ体積要素（４６）を形成するために互いに結合されており、第１の材料（４０）は、第２の材料（４４）よりも軽量である。本発明はさらに、ローラ（２６）を有するローラタペット（２０）、ローラタペット（２０）を有する燃料高圧ポンプ（１４）、ならびに、クランク軸（１２）および燃料高圧ポンプ（１４）を有する内燃機関（１０）に関する。
2017507282.tif 000002
【特許請求の範囲】
【請求項１】
複合ローラ（２８）として構成された、燃料高圧ポンプ（１４）のローラタペット（２０）用のローラ（２６）であって、
第１の複合ローラ領域（３８）を形成する第１の材料（４０）と、
第２の複合ローラ領域（４２）を形成する第２の材料（４４）と、を備え、
前記第１の材料（４０）と前記第２の材料（４４）とは、１つの複合ローラ体積要素（４６）を形成するために互いに結合されており、
前記第１の材料（４０）は、前記第２の材料（４４）よりも軽い
ことを特徴とするローラ（２６）。
【請求項２】
当該ローラ（２６）は、回転軸（５２）を中心にして回転可能に形成されており、前記第１の複合ローラ領域（３８）は、半径方向において前記回転軸（５２）から離間して延在する第１の層（４８）として形成されており、前記第２の複合ローラ領域（４２）は、半径方向において前記回転軸（５２）から離間して延在する第２の層（５０）として形成されており、前記第１の層（４８）は特に、前記第２の層（５０）に比べて前記回転軸（５２）のより近くに配置されている、請求項１記載のローラ（２６）。
【請求項３】
前記第１の層（４８）および前記第２の層（５０）は、前記回転軸（５２）を取り囲むように形成されている、請求項２記載のローラ（２６）。
【請求項４】
前記第２の材料（４４）は、前記第１の材料（４０）に比べて、ころがり摩擦力に対してより大きな抵抗力を有している、請求項１から３までのいずれか１項記載のローラ（２６）。
【請求項５】
前記第１の材料（４０）は、プラスチックおよび／またはアルミニウムおよび／またはセラミックスであり、前記第２の材料（４４）は鋼である、請求項１から４までのいずれか１項記載のローラ（２６）。
【請求項６】
前記第１の層（４８）は、前記第２の層（５０）に比べて、半径方向においてより厚く形成されており、前記第２の層（５０）の半径方向の厚さ（Ｄ）は、０.５ｍｍ〜３ｍｍ、特に１ｍｍ〜２ｍｍである、請求項２から５までのいずれか１項記載のローラ（２６）。
【請求項７】
前記回転軸（５２）に、該回転軸（５２）を形成する軸エレメント（６０）と、該軸エレメント（６０）に前記複合ローラ体積要素（４６）を回転可能に支持する軸受エレメント（６２）、特に滑り軸受エレメント（６４）とを備えたローラコア（６３）が直に配置されており、前記軸受エレメント（６２）は、特にスチールブッシュとして形成されており、前記軸受エレメント（６２）は、特に、該軸受エレメント（６２）が前記複合ローラ体積要素（４６）と一緒に前記軸エレメント（６０）を中心にして回転可能であるように、前記複合ローラ体積要素（４６）に結合されている、請求項２から６までのいずれか１項記載のローラ（２６）。
【請求項８】
前記複合ローラ体積要素（４６）は第３の複合ローラ領域（７０）を有しており、該第３の複合ローラ領域（７０）は、半径方向において前記回転軸（５２）から離間して延在しかつ前記第１の層（４８）に結合された第３の層（６８）として形成されており、該第３の層（６８）は、前記第１の層（４８）に比べて前記回転軸（５２）のより近くに配置され、かつ特に鋼を含む、請求項２から６までのいずれか１項記載のローラ（２６）。
【請求項９】
前記ローラ（２６）の全直径（ｄ）が、３５ｍｍ〜５５ｍｍ、特に４０ｍｍ〜５０ｍｍである、請求項１から８までのいずれか１項記載のローラ（２６）。
【請求項１０】
ローラタペットハウジング（３４）を有する、燃料高圧ポンプ（１４）用のローラタペット（２０）であって、前記ローラタペットハウジング（３４）内に、請求項１から９までのいずれか１項記載のローラ（２６）が回転可能に支持されている、燃料高圧ポンプ（１４）用のローラタペット（２０）。
【請求項１１】
燃料高圧ポンプ（１４）、特にプラグインポンプ（３０）であって、内燃機関（１０）のクランク軸（１２）によって駆動されるポンプピストン（２２）を備え、クランク軸表面（２４）との直接的な接触のために、前記ポンプピストン（２２）に作用結合した、請求項１から９までのいずれか１項記載のローラ（２６）を備えたローラタペット（２０）が設けられている、燃料高圧ポンプ（１４）。
【請求項１２】
クランク軸（１２）と、請求項１１記載の燃料高圧ポンプ（１４）とを備えた内燃機関（１０）であって、前記燃料高圧ポンプ（１４）は、ポンプピストン（２２）と、ローラ（２６）を有するローラタペット（２０）とを備え、前記クランク軸（１２）の運動を前記ポンプピストン（２２）に伝達するために、前記ローラ（２６）は、クランク軸表面（２４）に直接接触し、かつ前記ポンプピストン（２２）に作用接触して配置されている、内燃機関（１０）。
【発明の詳細な説明】
【技術分野】
【０００１】
本発明は、燃料高圧ポンプのローラタペット用のローラ、このようなローラを備えて構成されたローラタペット、ローラタペットを有する燃料高圧ポンプ、ならびに、燃料高圧ポンプを有する、クランク軸を備えた内燃機関に関する。
【背景技術】
【０００２】
内燃機関の燃焼室に供給すべき燃料に高圧を加える燃料高圧ポンプは、多くの場合、ピストンポンプとして構成されている。ポンプピストンは、圧力室内に存在する燃料を並進的な往復動によって圧縮し、燃料内に高圧を生ぜしめる。例えば、ガソリン内燃機関用の燃料高圧ポンプでは、２００バール〜２５０バールの圧力が燃料に加えられるのに対して、ディーゼル内燃機関用の高圧ポンプによっては、２０００バール〜２５００バールの圧力が燃料に加えられる。
【０００３】
ポンプピストンを並進運動で駆動するために、軸が使用され、ポンプピストンは多くの場合、タペット、例えばローラタペットを介して、軸の表面に接触している。
【０００４】
特に２０００バール〜３０００バールの高圧を準備できるようにするために、駆動軸として、例えばクランク軸のような内燃機関の駆動軸を考慮することが益々増えている。例としてあげられたクランク軸において、ポンプピストンを駆動するカムが、連接棒に対して十分に大きな間隔を得ることができるようにするために、クランク軸は、カムの領域に、比較的大きな基礎円直径を有している。この比較的大きな基礎円直径に沿って、ポンプピストンの駆動時に、ポンプピストンとクランク軸との間に設けられたローラタペットのローラが転動する。ローラが比較的小さく構成されていて、例えば、駆動軸として固有のカム軸を備えたポンプにおいて通常使用されるローラに相当している場合には、ローラの単位時間当たりの回転数は数倍高くなる。例えば、カム軸のローラの回転数は、通常５０００〜１５０００ｒｐｍであり、クランク軸における使用時には、回転数は４００００ｒｐｍ以上にも高まることがある。これは、ローラタペットの内部における、かつ特にローラにおける摩耗および摩擦を高めることになる。
【０００５】
ローラの回転数を減じるために、ローラ直径を増大させるという可能性がある。ローラ直径の増大に連れて、ローラの重量が一次関数的に大きくなることによって、大きな回転エネルギが発生する。これは、ローラの上昇や、ローラとクランク軸のカムとの間における追加的なスリップを引き起こす。このような作用によって、燃料高圧ポンプの内部における摩耗可能性がより高くなる。
【発明の概要】
【発明が解決しようとする課題】
【０００６】
したがって、本発明の課題は、摩耗可能性が減じられた燃料高圧ポンプを提供することである。
【課題を解決するための手段】
【０００７】
この課題は、請求項１に記載の特徴を備えた、燃料高圧ポンプのローラタペット用のローラの構成によって解決される。
【０００８】
このようなローラを備えたローラタペット、このローラタペットを備えた燃料高圧ポンプ、およびこの燃料高圧ポンプを有する内燃機関が、他の独立請求項の対象である。
【０００９】
本発明の好適な態様が、従属請求項の対象である。
【００１０】
複合ローラとして構成された、燃料高圧ポンプのローラタペット用のローラが、第１の複合ローラ領域を形成する第１の材料と、第２の複合ローラ領域を形成する第２の材料と、を有している。第１の材料と第２の材料とは、１つの複合ローラ体積要素を形成するために互いに結合されており、第１の材料は、第２の材料よりも軽量である。
【００１１】
少なくとも２つの互いに異なった材料から複合ローラを構成することによって、異なった要求を受ける、ローラの異なった領域において、相応の要求に適した異なったローラ特性を生ぜしめることができる。同時に、一方の材料が他方の材料に比べて軽量であると、ローラにおける重量を低減することが可能であり、これによって、例えば、重いローラの大きな回転エネルギに起因するローラの上昇や、ローラとカムとの間における追加的なスリップのような、比較的重いローラによって引き起こされる欠点が解消される。本発明におけるように、小さなローラに似た重量を有する大きなローラを、複合構造によって形成することができると、このような大きなローラを、クランク軸との接触エレメントとして使用することができ、かつローラ直径がより大きいことによって、小さなローラの使用時よりも回転数を小さくすることができる。これによって、ローラの摩耗、ひいてはローラタペット全体の摩耗が僅かになる。
【００１２】
従って、このような複合構造によって、ローラタペットの総重量および回転エネルギを大幅に減じることができる。これにより、大きなローラを備えたローラタペットを、例えば乗用車の内燃機関における回転数のような回転数で運転することが可能になる。このような処置によって、ローラタペットの内部における摩耗および摩擦を大幅に減じることができる。
【００１３】
別の利点としては、ローラタペットをカムに向かって押圧し、ひいては上昇を阻止する、減じられた力を有するばねを使用できる点が挙げられる。
【００１４】
好ましくは、ローラは、回転軸を中心にして回転可能に形成されており、第１の複合ローラ領域は、半径方向において回転軸から離間して延在する第１の層として形成されており、第２の複合ローラ領域は、半径方向において回転軸から離間して延在する第２の層として形成されており、第１の層は、第２の層に比べて回転軸のより近くに配置されている。
【００１５】
このように構成されていると、複合ローラとしてのローラが、異なった材料から成る層状構造によって形成される。このようなローラは、特に簡単に製造することができ、好ましい。
【００１６】
好ましくは、第１の材料を有する第１の層は、第２の層に比べて回転軸のより近くに配置されている。特に好ましくは、第１の層および第２の層は、回転軸を中心にして環状に形成されている。
【００１７】
すなわち、好ましくは、第２の層は第１の層を取り囲んでいる。従って、ローラの横断面で見ると、好ましくは、比較的軽い第１の材料から形成された第１の円形リングと、この第１の円形リングを取り囲み重い第２の材料から形成された第２の円形リングとがある。
【００１８】
このように構成されていると、ローラの内部において、重量を有利に節減することができる。
【００１９】
特に好ましくは、第２の材料は、第１の材料に比べて、ころがり摩擦力に対してより大きな抵抗力を有している。
【００２０】
ゆえに、特に好ましくは、重い第２の材料を、外側の第２の円形リングとして第１の材料の周りに配置することができる。従って、複合ローラは、好ましくは次のように構成されている。すなわち、内部に軽い材料が配置されていて、この軽い材料には、小さな負荷、特に小さな摩擦負荷にしか加えられないので、この材料の選択に関して、多くの選択肢を得ることができる。好ましくは、特にころがり摩擦力に対して抵抗力のある比較的重い材料が、運転中に実際にころがり摩擦力が加えられる領域である外側領域に配置されている。
【００２１】
これによって、軽量であるにも拘わらず抵抗力のあるローラを、好適に形成することができる。
【００２２】
好ましくは、第１の材料は、プラスチックおよび／またはアルミニウムおよび／またはセラミックスである。特にプラスチックは、その膨張係数に応じて選択することができかつ比較的重い第２の材料の膨張係数に合わせることができる、多数のプラスチックを使用可能であるという利点を有している。
【００２３】
第２の材料は、好ましくは鋼である。なぜなら、鋼は安価に入手することができ、しかも運転中のローラの外側領域における大きなころがり摩擦力に抵抗することができるからである。
【００２４】
好ましくは、第１の層は、第２の層に比べて、半径方向においてより厚く形成されている。
【００２５】
例えば第２の層は、半径方向の厚さが０.５ｍｍ〜３ｍｍ、特に１ｍｍ〜２ｍｍである。
【００２６】
比較的軽い材料を有する第１の層が厚ければ厚いほど、得ることができる重量低減の程度が大きくなる。好適な態様では、ローラの外側領域に配置されている第２の層は、好ましくは、ころがり摩擦力に対する良好な抵抗力を可能にする厚さを有することが望ましい。このような厚さは、好ましくは０.５ｍｍ〜３ｍｍの範囲、好適には１ｍｍ〜２ｍｍの範囲である。
【００２７】
好ましくは、回転軸に、該回転軸を形成する軸エレメントと、該軸エレメントに複合ローラ体積要素を回転可能に支持する軸受エレメント、特に滑り軸受エレメントとを備えたローラコアが直に配置されている。
【００２８】
軸エレメントおよび軸受エレメントによって、ローラを好適に回転可能に、例えばローラタペット内において支持することができる。軸エレメントは、ローラの回転軸の領域において十分な安定性を提供し、軸受エレメントは、複合ローラ体積要素を、回転軸を中心にして回転可能に支持するよう機能する。
【００２９】
ローラの運転時に存在する大きな力、つまりクランク軸との接触時における大きな力に基づいて、抵抗力のある滑り軸受エレメントを使用することが好ましい。
【００３０】
例えば軸受エレメントは、スチールブッシュから形成されており、ゆえに、軸エレメントとの接触時のころがり摩擦力に対して大きな抵抗力を有している。
【００３１】
好ましくは、軸受エレメントは、複合ローラ体積要素に結合されているので、軸受エレメントは、複合ローラ体積要素と一緒に軸エレメントを中心にして回転する。これによって、複合ローラ体積要素と軸受エレメントとの間におけるさらなる摩擦力を、好適に回避することができる。
【００３２】
好適な態様では、複合ローラ体積要素は第３の複合ローラ領域を有しており、該第３の複合ローラ領域は、半径方向において回転軸から離間して延在しかつ第１の層に結合された第３の層として形成されている。好ましくは、この第３の層は、第１の層に比べて回転軸のより近くに配置されている。ゆえに、第３の層は、比較的小さな抵抗力しか有していない比較的軽い第１の層を支持するための支持層を形成することができる。支持部として機能できるように、特に好ましくは、第３の層は鋼を含むか、または完全に鋼から形成されている。
【００３３】
好ましくは、ローラの全直径は、３５ｍｍ〜５５ｍｍ、特に４０ｍｍ〜５０ｍｍである。
【００３４】
駆動エレメントとしてクランク軸を使用する場合、カム軸の周囲における領域は、多くの場合約１６０ｍｍの直径を有している。ローラがクランク軸のこの領域において可能な限り低い回転数で転動できるようにするために、好ましくは、ローラは、３５ｍｍ〜５５ｍｍの範囲の比較的大きな直径を有している。約７０ｍｍの直径を有する通常使用されるカム軸上を転動する、ローラタペットにおける通常のローラは、たいてい、約２０ｍｍの直径を有しているに過ぎない。
【００３５】
燃料高圧ポンプ用のローラタペットが、ローラタペットハウジングを有しており、このローラタペットハウジング内に、上述したローラが回転可能に支持されており、このようなローラタペットは、ローラについて既に述べたのと同じ利点を有している。
【００３６】
燃料高圧ポンプが、特にプラグインポンプとして形成されており、つまり固有のハウジングを有しておらず、内燃機関のシリンダブロックが、ハウジングとして使用される。この燃料高圧ポンプは、好ましくは、内燃機関のクランク軸によって駆動され、ポンプピストンは、クランク軸表面と直に接触しているローラタペットを介して運動させられる。ローラタペットは、上述したローラを有している。
【００３７】
内燃機関が、クランク軸と燃料高圧ポンプとを有しており、この燃料高圧ポンプは、ポンプピストンと、上述したローラを備えたローラタペットとを有している。クランク軸の運動をポンプピストンに伝達するために、ローラは、クランク軸表面に直接接触し、かつポンプピストンに接触して配置されている。
【００３８】
添付の図面に基づき、以下で、本発明の有利な実施形態について詳説する。
【図面の簡単な説明】
【００３９】
【図１】内燃機関をクランク軸と共に示す図である。
【図２】クランク軸を該クランク軸に固定された燃料高圧ポンプと共に示す斜視図である。
【図３】図２に示した燃料高圧ポンプを備えたクランク軸の断面図であり、燃料高圧ポンプが、ポンプピストンと作用結合しているローラを有するローラタペットを備える様子を示している。
【図４】図３に示したローラの断面図である。
【発明を実施するための形態】
【００４０】
図１には、クランク軸１２を有する内燃機関１０の一部が斜視図で示されている。
【００４１】
図２には、図１に示した、複数の連接棒１３を有し燃料高圧ポンプ１４が作用するクランク軸１２が、斜視図で示されている。
【００４２】
図３には、図２に示した燃料高圧ポンプ１４を備えたクランク軸１２が断面図で示されている。
【００４３】
クランク軸１２は、２つのカム１６を有しており、両方のカム１６は、クランク軸回転軸１８を中心にしたクランク軸１２の回転によって、周期的に燃料高圧ポンプ１４のローラタペット２０と接触し、ローラタペット２０と作用接触しているポンプピストン２２を昇降運動させる。
【００４４】
クランク軸表面２４には、ローラタペット２０のローラ２６が直に接触しており、このローラ２６は、図４と関連して後で記載するように、複合ローラ２８として形成されている。
【００４５】
燃料高圧ポンプ１４は、プラグインポンプ３０として形成されており、固有のハウジングを有しておらず、内燃機関１０のシリンダブロック３２をハウジングとして使用する。
【００４６】
ローラ２６は、ローラタペット２０のローラタペットハウジング３４内に回転可能に支持されている。
【００４７】
クランク軸回転軸１８を中心にしたクランク軸１２の回転時に、ローラ２６は、クランク軸表面２４上で転動する。ローラ２６がカム１６のうちの１つと接触するや否や、ローラ２６、ひいてはローラタペット２０の全体が、ポンプピストン２２と一緒に、上死点に向かって押圧される。これによって、図示されていない圧力室の容積が小さくなり、この圧力室内に存在する燃料が圧縮され、燃料に高圧負荷が加えられる。
【００４８】
クランク軸回転軸１８を中心にしたクランク軸１２のさらなる運動時に、ローラ２６は、ローラタペット２０およびポンプピストン２２と共に下方に向かって下死点へと移動し、これによって圧力室の容積が増大させられ、圧力を加えられていない燃料をそこに吸い込むことができる。
【００４９】
燃料高圧ポンプ１４を運転するためのローラタペット２０を、比較的小さな基礎円直径を有するカム輪郭、例えばエンジンのカム軸に沿って移動させることが知られている。しかしながら、益々高い圧力で噴射を行うという要求に基づいて、カム軸の駆動歯付きベルトおよびカム軸調節器は、その負荷限界に達している。従って、今や、図３に示すように、燃料高圧ポンプ１４はクランク軸１２において直に操作される。しかしながら、連接棒１３に対する必要な間隔をクランク軸１２において維持できるようにするためには、カム１６の比較的大きな基礎円直径が必要になる。カム軸と関連して使用されるような標準的なローラタペットを使用した場合、ローラ２６は、クランク軸１２上で、カム軸上での使用時に比べて数倍高速で回転することになる。例えばエンジンのカム軸上での使用時には、ローラ２６の回転数は、典型的には５０００ｒｐｍ〜１５０００ｒｐｍである。これに対して、クランク軸１２の使用時には、４００００ｒｐｍまたはそれ以上の範囲の回転数が見込まれる。これは、ローラタペット２０の内部において摩耗および摩擦を増大させる。
【００５０】
ローラ２６の回転数を減じるために、ローラ直径を大きくするという提案がなされている。このような提案は、例えば船舶用ディーゼル機関のような回転数が低いエンジンの場合に知られている。しかしながら、このような大きなローラ２６は重量が大きいので、高回転数時には、ローラ２６の上昇や、ローラ２６とカム１６との間におけるスリップが発生する。それというのは、ローラ２６が極めて大きな回転エネルギを有し、高回転数時における動力学的な動きにもはや追従することができないからである。
【００５１】
ゆえに、ローラ２６を複合ローラ２８として構成することが提案され、これは、図４においてローラ２６の横断面図で示されている。
【００５２】
ローラ２６は、第１の材料４０から形成された第１の複合ローラ領域３８と、第２の材料４４から形成された第２の複合ローラ領域４２とを有している。第１の材料４０と第２の材料４４とは、両材料が複合ローラ体積要素４６を形成するように、つまり、ローラ２６の運動時に、あたかもただ１つの材料から形成されているかのように働くエレメントを形成するように、互いに結合されている。
【００５３】
第１の材料４０は、第２の材料４４よりも軽い。ゆえにローラ２６は、ただ１つのエレメントとして働く複合ローラ体積要素４６のように形成されているにも拘わらず、実際にただ１つの材料から形成されている標準的なローラとの比較において、明らかな重量低減を達成することができる。これによって、ローラ２６の重量に対して正比例する回転エネルギが小さくなるので、ローラ２６およびローラタペット２０に対して作用する力が減少する。
【００５４】
本実施形態では、両複合ローラ領域３８，４２は、ローラ２６の回転軸５２から半径方向に離間して延在する層４８，５０として形成されている。第１の層４８は、第２の層５０に比べて回転軸５２のより近くに配置されている。特に、両方の層４８，５０は、回転軸５２を取り囲むように形成されている。
【００５５】
ゆえに、ローラ２６の横断面図で見て、第２の材料４４から形成された第２の円形リング５６によって取り囲まれた、第１の材料４０から形成された第１の円形リング５４が得られる。
【００５６】
三次元の構成では、ローラ２６は、例えば、これら複数の層４８，５０を有する円筒体として形成することができる。
【００５７】
本実施形態では、第２の材料４４は、第１の材料４０に比べて、ローラ摩擦力に対してより大きな抵抗力を有している。
【００５８】
複合ローラ体積要素４６を形成するために、回転軸５２から見てどちらの材料４０，４４をどのように配置するかは、材料の選択によっても左右される。
【００５９】
第１の材料４０が第２の材料４４に比べてローラ摩擦力に対してより大きな抵抗力を有している場合には、第１の材料４０、ひいては第１の層４８を、第２の材料４４の外側に配置することも可能である。
【００６０】
ローラ２６の重量低減が実現される場所は、僅かである。後でクランク軸表面２４と直に接触する層４８，５０が、ローラ摩擦力に対してより大きな抵抗力を有する材料を有していると、特に好適である。
【００６１】
両方の材料４０，４４がローラ摩擦力に対して似たような抵抗力を有している場合には、両方の材料４０，４４をローラ表面５８において交互に配置することも可能である。
【００６２】
例えば、第１の材料４０は、プラスチック、アルミニウムまたはセラミックスであってよい。好ましくは第２の材料４４は鋼である。プラスチックを使用した、ローラタペット２０のローラ２６の複合構造によって、特に良好な重量低減を達成することができ、さらに、鋼と似たような膨張係数を有するプラスチックを選択することができ、このことは特に運転条件下において好適である。
【００６３】
図４に示すように、第１の材料４０としてのプラスチックが内側の第１の層４８として使用される場合、追加的に、運転時において、カム１６と燃料高圧ポンプ１４との間での衝撃を緩和することができる。これによっても、ローラタペット２０および燃料高圧ポンプ１４全体の堅牢さを高め、かつ耐用寿命を長くすることができる。
【００６４】
特に良好な重量低減を達成するために、より軽量の第１の材料４０を有する層４８，５０が、第２の材料４４、つまりより重い材料を有する層４８，５０よりも厚く形成されていると好ましい。
【００６５】
図４に示した実施形態では、外側の第２の円５６を形成しかつ比較的重い第２の材料４４を有する第２の層５０の厚さＤは、好ましくは、０.５ｍｍ〜３ｍｍで形成されている。さらに好ましくは、第２の層５０の厚さＤは、１ｍｍ〜２ｍｍである。これによって、運転条件下において、ローラ２６全体の特に良好な安定性を得ることができる。
【００６６】
ローラ２６を支持するために、軸エレメント６０および軸受エレメント６２が回転軸５２に直に配置されており、この軸エレメント６０および軸受エレメント６２は一緒にローラコア６３を形成している。軸エレメント６０は、ローラ２６のための安定した回転軸５２を形成する。軸受エレメント６２は、複合ローラ体積要素４６が軸エレメント６０を中心にして回転することを可能にする。ローラ２６には特に大きな力が作用するので、軸受エレメント６２が滑り軸受エレメント６４として、例えばスチールブッシュ６６から形成されていると好適である。
【００６７】
ローラ２６を全体としてさらに安定的にするために、複合ローラ体積要素４６が第３の層６８を有しており、この第３の層６８は、半径方向において回転軸５２から離間して延在し、第１の層４８および第２の層５０に比べて回転軸５２のより近くに配置されていると好ましい。例えば、この第３の層６８も同様に鋼から形成されていてもよい。
【００６８】
これによって、第３の層６８は、複合ローラ体積要素４６の第３の複合ローラ領域７０を形成する。ローラ２６の複数部分から成る構造によって、ローラ２６の重量を大幅に減じることができ、かつ、ローラ２６の運転中に、燃料高圧ポンプ１４を摩耗させるような力を生ぜしめることなしに、全直径ｄが３５ｍｍ〜５５ｍｍであるローラ２６を形成することができる。
【００６９】
第３の層６８の厚さＤは、例えば１.５ｍｍ〜３.５ｍｍ、特に２ｍｍ〜３ｍｍであってもよい。
【符号の説明】
【００７０】
１０  内燃機関
１２  クランク軸
１３  連接棒
１４  燃料高圧ポンプ
１６  カム
１８  クランク軸回転軸
２０  ローラタペット
２２  ポンプピストン
２４  クランク軸表面
２６  ローラ
２８  複合ローラ
３０  プラグインポンプ
３２  シリンダブロック
３４  ローラタペットハウジング
３８  第１の複合ローラ領域
４０  第１の材料
４２  第２の複合ローラ領域
４４  第２の材料
４６  複合ローラ体積要素
４８  第１の層
５０  第２の層
５２  回転軸
５４  第１の回転リング
５６  第２の回転リング
５８  ローラ表面
６０  軸エレメント
６２  軸受エレメント
６３  ローラコア
６４  滑り軸受エレメント
６６  スチールブッシュ
６８  第３の層
７０  第３の複合ローラ領域
Ｄ  厚さ
ｄ  全直径
【図１】
2017507282.tif 000003
【図２】
2017507282.tif 000004
【図３】
2017507282.tif 000005
【図４】
2017507282.tif 000006
【国際調査報告】
2017507282.tif 000007
2017507282.tif 000008
2017507282.tif 000009
2017507282.tif 000010
2017507282.tif 000011
2017507282.tif 000012